(57)【要約】【課題】ガイドカバーがメダルを案内する機能を発揮しない位置に留まったままで遊技をしてしまうことを防止することのできるメダルセレクタ、及びこのメダルセレクタを備える遊技台を提供する。【解決手段】メダルが通過可能なメダル通路を備えたセレクタ本体ユニット６１と、このセレクタ本体ユニット６１に開閉自在に取付けられたガイドカバー６３とを備え、ガイドカバー６３は、閉じた状態のときにメダルを案内可能な案内位置にあり、開いた状態のときに案内不能となり、案内位置にあるガイドカバー６３を検知する検知手段７３と、検知結果に基づいて案内位置にないと判定した場合に所定の報知を行う報知手段とで開状態報知防止手段を構成し、この開状態報知防止手段にガイドカバー６３を回動自在に保持する保持部７１と案内位置に移動させる付勢部７２とを設けた。【選択図】図６
2008246031.tif 000002
【特許請求の範囲】
【請求項１】
投入されたメダルが通過可能なメダル通路を備えたセレクタ本体と、前記セレクタ本体に開閉自在に取付けられ、前記メダル通路から落下するメダルを案内するガイドカバーと、を備え、前記メダル通路を通過したメダルを受付けて遊技可能となるメダルセレクタを備える遊技台であって、
前記ガイドカバーは、閉じた状態のときにメダルを案内可能な案内位置にあり、開いた状態のときに案内不能となり、
前記ガイドカバーが開いたままとなることを防止する開状態放置防止手段を備えたことを特徴とするメダルセレクタを備える遊技台。
【請求項２】
請求項１に記載のメダルセレクタを備える遊技台であって、
前記開状態放置防止手段は、前記案内位置にある前記ガイドカバーを検知する検知手段と、前記検知手段による検知結果に基づいて、前記ガイドカバーが前記案内位置にないと判定した場合に所定の報知を行う報知手段と、で構成されていることを特徴とするメダルセレクタを備える遊技台。
【請求項３】
請求項１に記載のメダルセレクタを備える遊技台であって、
前記開状態放置防止手段は、前記セレクタ本体に設けられ前記ガイドカバーを回動自在に保持する保持部と、前記保持部に設けた前記ガイドカバーを前記案内位置に移動させる付勢部と、で構成されていることを特徴とするメダルセレクタを備える遊技台。
【請求項４】
請求項１に記載のメダルセレクタを備える遊技台であって、
前面に開口部を形成した本体と、前記開口部に開閉自在に取り付けられた前扉とで構成され、
前記セレクタ本体および前記ガイドカバーは、前記前扉に取り付けられており、
前記開状態放置防止手段は、前記前扉が開いた位置から閉じた位置へ移動する場合に、この移動に伴って前記ガイドカバーに当接することにより、前記ガイドカバーを前記案内位置に移動させるように構成された、前記本体に形成された所定部であることを特徴とするメダルセレクタを備える遊技台。
【請求項５】
請求項１ないし４のいずれかに記載のメダルセレクタを備える遊技台であって、前記セレクタ本体は、前記ガイドカバーの移動範囲を制限する移動範囲制限部を備えたことを特徴とするメダルセレクタを備える遊技台。
【請求項６】
メダル投入口より投入されたメダルを、当該メダルの大きさに基づいて選別するメダルセレクタであって、
メダル通路を形成するセレクタ本体と、該セレクタ本体に着脱自在に設けられる側面ガイドユニットと、前記メダル通路から落下するメダルを案内する開閉可能なガイドカバーと、を備え、
前記ガイドカバーは、閉じた状態のときにメダルを案内可能な案内位置にあり、開いた状態のときに案内不能となり、
前記ガイドカバーが開いたままとなることを防止する開状態放置防止手段は、前記セレクタ本体に設けられ前記ガイドカバーを回動自在に保持する保持部と、前記保持部に設けた前記ガイドカバーを前記案内位置に移動させる付勢部と、で構成されていることを特徴とするメダルセレクタ。
【発明の詳細な説明】
【技術分野】
【０００１】
本発明は、遊技媒体として使用するメダルを選別するメダルセレクタ、及びこのメダルセレクタを備えるスロットマシン（パチスロ）、パチンコ機に代表される遊技台に関するものである。
【背景技術】
【０００２】
従来、スロットマシンに代表される遊技台は、メダル等の遊技媒体を投入する投入口が設けられており、この投入口に投下されたメダルは、遊技台の内部の通路を通過し、この通路に設けたセンサによって投入されたメダルを検知するようになっている。
【０００３】
また、スロットマシンは、遊技の状態によって投入されるメダルを受付けている状態と、メダルを受付けていない状態とがあり、メダルを受付けていない状態においては、投入されたメダルがセンサを通過しないように、センサ通過前のメダルを通路から脱落させて、メダル受皿に返却する構成を備えている（特許文献１）。
【０００４】
例えば、図１４に示す従来のメダルセレクタ６は、メダル通路を形成するセレクタ本体ユニット６１と、このセレクタ本体ユニット６１に着脱自在に設けられる側面ガイドユニット６２と、投入されたメダルをメダル受皿に案内する開閉可能なガイドカバー６３と、から構成され、取付基板６４を介してスロットマシンの前面扉の裏面側に、着脱可能に取り付られている。
【０００５】
即ち、メダル通路から脱落させたメダルがメダル受皿に正確に落下するように、通路の近傍にはガイドカバー６３が備えられ、メダルの落下方向を制限するようにしている。さらに、ガイドカバー６３は通路のメンテナンス時に操作の妨げにならないように、開閉する機構を備えるようになっている。
【０００６】
そして、図１４に示す従来のメダルセレクタ６においては、（ｃ）に示すように、側面ガイドユニット６２を取り外すと共に、ガイドカバー６３を手前へ回動させた状態で、メダル通路の清掃などのメンテナンス作業を行なっている。そして、作業終了後には、ガイドカバー６３を元に戻すと共に、側面ガイドユニット６２を再びセレクタ本体ユニット６１に取り付けるようにしている。
【０００７】
【特許文献１】特開２００５−５２３９７号公報
【発明の開示】
【発明が解決しようとする課題】
【０００８】
しかしながら、ガイドカバー６３が開閉等の移動可能な構成を備えていることで、ガイドカバー６３が目的としているメダルを案内する機能を発揮しない位置に留まったままで遊技をさせてしまう問題があった。即ち、ガイドカバー６３を元に戻すのを忘れて、前面扉を閉めてしまうことがあった。
【０００９】
本発明は、上記問題に基づいてなされたものであり、ガイドカバーが目的としているメダルを案内する機能を発揮しない位置に留まったままで遊技をしてしまうことを防止することのできるメダルセレクタ、及びこのメダルセレクタを備える遊技台を提供することを目的とする。
【課題を解決するための手段】
【００１０】
前記課題を解決するために、請求項１に係る発明は、投入されたメダルが通過可能なメダル通路を備えたセレクタ本体と、前記セレクタ本体に開閉自在に取付けられ、前記メダル通路から落下するメダルを案内するガイドカバーと、を備え、前記メダル通路を通過したメダルを受付けて遊技可能となるメダルセレクタを備える遊技台であって、前記ガイドカバーは、閉じた状態のときにメダルを案内可能な案内位置にあり、開いた状態のときに案内不能となり、前記ガイドカバーが開いたままとなることを防止する開状態放置防止手段を備えたことを特徴とする。
【００１１】
請求項２に係る発明は、請求項１に記載のメダルセレクタを備える遊技台であって、前記開状態放置防止手段は、前記案内位置にある前記ガイドカバーを検知する検知手段と、前記検知手段による検知結果に基づいて、前記ガイドカバーが前記案内位置にないと判定した場合に所定の報知を行う報知手段と、で構成されていることを特徴とする。
【００１２】
請求項３に係る発明は、請求項１に記載のメダルセレクタを備える遊技台であって、前記開状態放置防止手段は、前記セレクタ本体に設けられ前記ガイドカバーを回動自在に保持する保持部と、前記保持部に設けた前記ガイドカバーを前記案内位置に移動させる付勢部と、で構成されていることを特徴とする。
【００１３】
請求項４に係る発明は、請求項１に記載のメダルセレクタを備える遊技台であって、前面に開口部を形成した本体と、前記開口部に開閉自在に取り付けられた前扉とで構成され、前記セレクタ本体および前記ガイドカバーは、前記前扉に取り付けられており、前記開状態放置防止手段は、前記前扉が開いた位置から閉じた位置へ移動する場合に、この移動に伴って前記ガイドカバーに当接することにより、前記ガイドカバーを前記案内位置に移動させるように構成された、前記本体に形成された所定部であることを特徴とする。
【００１４】
請求項５に係る発明は、請求項１ないし４のいずれかに記載のメダルセレクタを備える遊技台であって、前記セレクタ本体は、前記ガイドカバーの移動範囲を制限する移動範囲制限部を備えたことを特徴とする、
【００１５】
請求項６に係る発明は、メダル投入口より投入されたメダルを、当該メダルの大きさに基づいて選別するメダルセレクタであって、メダル通路を形成するセレクタ本体と、該セレクタ本体に着脱自在に設けられる側面ガイドユニットと、前記メダル通路から落下するメダルを案内する開閉可能なガイドカバーと、を備え、前記ガイドカバーは、閉じた状態のときにメダルを案内可能な案内位置にあり、開いた状態のときに案内不能となり、前記ガイドカバーが開いたままとなることを防止する開状態放置防止手段は、前記セレクタ本体に設けられ前記ガイドカバーを回動自在に保持する保持部と、前記保持部に設けた前記ガイドカバーを前記案内位置に移動させる付勢部と、で構成されていることを特徴とする。
【発明の効果】
【００１６】
請求項１に係る発明によれば、遊技台のメダルセレクタにおいて、投入されたメダルを案内するガイドカバーが開いた状態のままにならないので、投入されたメダルが案内されることなく遊技を行なってしまうことがない。
【００１７】
請求項２に係る発明によれば、メダルセレクタのガイドカバーが開いた状態が報知されるので、ガイドカバーの状態を容易に認識することができる。
【００１８】
請求項３に係る発明によれば、メダルセレクタのガイドカバーを、メダルを案内することができる案内位置へ移動させることができ、ガイドカバーが開いたままの状態となることがなく、メダルを常に案内可能になる。
【００１９】
請求項４に係る発明によれば、メダルセレクタのガイドカバーを、前扉の閉止操作に伴って閉じることができ、ガイドカバーを開いたまま前扉を閉止してしまうことがなく、メダルを常に案内可能になる。
【００２０】
請求項５に係る発明によれば、メダルセレクタのガイドカバーの移動範囲を規制することができ、ガイドカバーを予期しない位置に移動し、この位置で前扉を閉止してしまうことがない。
【００２１】
請求項６に係る発明によれば、投入されたメダルを案内するガイドカバーが開いたままの状態になることのないメダルセレクタを提供することができる。したがって、メダルが正しく案内されないために、遊技のリズムが崩れるなど、遊技の興趣が削がれることがなく、興趣の高い遊技が可能になる。
【発明を実施するための最良の形態】
【００２２】
以下、本発明の実施例について図面を参照して説明する。図１は本発明の一実施例に係るスロットマシン１００の斜視図である。
【００２３】
＜全体の構成＞
図１は、本発明の実施例に係る遊技台としてのスロットマシン１００の外観を示す斜視図である。このスロットマシン１００は、前面に開口部を形成した本体としてのキャビネット２１０と、前記開口部に開閉自在に取り付けられた前扉である前面扉１０２とで構成されている。
【００２４】
図１に示すスロットマシン１００のキャビネット２１０の中央内部には、外周面に複数種類の絵柄が配置されたリールが３個（左リール１１０、中リール１１１、右リール１１２）収納され、スロットマシン１００の内部で回転できるように構成されている。本実施例において、各絵柄は帯状部材に等間隔で適当数（例えば２１絵柄）印刷され、この帯状部材が所定の円形枠材に貼り付けられて各リール１１０乃至１１２が構成されている。
【００２５】
前面扉１０２には絵柄表示窓１１３が設けられており、リール１１０乃至１１２上の絵柄は、遊技者から見ると、絵柄表示窓１１３から縦方向に概ね３つ表示され、合計９つの絵柄が見えるようになっている。そして、各リール１１０乃至１１２を回転させることにより、遊技者から見える絵柄の組み合せが変動することとなる。なお、本実施例では、３個のリールをスロットマシン１００の中央内部に備えているが、リールの数やリールの設置位置はこれに限定されるものではない。
【００２６】
また、各々のリール１１０乃至１１２の背面には、絵柄表示窓１１３に表示される個々の絵柄を照明するためのバックライト（図示省略）が配置されている。バックライトは、各々の絵柄ごとに遮蔽されて個々の絵柄を均等に照射できるようにすることが望ましい。
【００２７】
なお、スロットマシン１００内部において各々のリール１１０乃至１１２の近傍には、投光部と受光部から成る光学式センサ（図示せず）が設けられており、この光学式センサの投光部と受光部のあいだを、リールに設けられた一定の長さの遮光片が通過するように構成されている。このセンサの検出結果に基づいてリール上の絵柄の回転方向の位置を判断し、目的とする絵柄が入賞ライン１１４上に表示されるようにリール１１０乃至１１２を停止させる。
【００２８】
入賞ライン表示ランプ１２０は、有効となる入賞ラインを示すランプである。有効となる入賞ラインは、スロットマシン１００に投入された遊技媒体（本実施例ではメダルを想定する。）の数によって予め定まっている。５本の入賞ライン１１４のうち、例えば、メダルが１枚投入された場合、中段の水平入賞ラインが有効となり、メダルが２枚投入された場合、上段水平入賞ラインと下段水平入賞ラインが追加された３本が有効となり、メダルが３枚投入された場合、右下り入賞ラインと右上り入賞ラインが追加された５本が入賞ラインとして有効になる。なお、入賞ライン１１４の数については５本に限定されるものではない。
【００２９】
スタートランプ１２１は、リール１１０乃至１１２が回転することができる状態にあることを遊技者に知らせるランプである。再遊技ランプ１２２は、前回の遊技において入賞役の一つである再遊技に入賞した場合に、今回の遊技が再遊技可能であること（メダルの投入が不要）を遊技者に知らせるランプである。
【００３０】
告知ランプ１２３は、後述する内部抽選において、特定の入賞役（具体的には、ビッグボーナスやレギュラーボーナス等のボーナス）に内部当選していることを遊技者に知らせるランプである。メダル投入ランプ１２４は、メダルの投入が可能であることを知らせるランプである。リールパネルランプ１２８は、演出用のランプである。メダル投入ボタン１３０、１３１は、スロットマシン１００に電子的に貯留されているメダルを所定の枚数分投入するためのボタンである。
【００３１】
本実施例においては、メダル投入ボタン１３０が押下される毎に１枚ずつ最大３枚まで投入され、メダル投入ボタン１３１が押下されると３枚投入されるようになっている。メダル投入口１３４は、遊技を開始するにあたって遊技者がメダルを投入するための投入口である。すなわち、メダルの投入は、メダル投入ボタン１３０又は１３１により電子的に投入することもできるし、メダル投入口１３４から実際のメダルを投入することもできる。
【００３２】
払出枚数表示器１２５は、何らかの入賞役に入賞した結果、遊技者に払出されるメダルの枚数を表示するための表示器である。遊技回数表示器１２６は、ビッグボーナスゲーム中（ＢＢゲーム中）の遊技回数や所定の入賞役の入賞回数等を表示するための表示器である。貯留枚数表示器１２７は、スロットマシン１００に電子的に貯留されているメダルの枚数を表示するための表示器である。
【００３３】
スタートレバー１３５は、遊技の開始操作として、各リール１１０〜１１２の回転を開始させるレバー型のスイッチである。
【００３４】
ストップボタンユニット１３６には、ストップボタン１３７乃至１３９が設けられている。ストップボタン１３７乃至１３９は、スタートレバー１３５の操作によって回転を開始したリール１１０乃至１１２を個別に停止させるためのボタン型のスイッチである。なお、各ストップボタン１３７乃至１３９の内部に発光体を設けてもよく、ストップボタン１３７乃至１３９の操作が可能である場合、該発光体を点灯させて遊技者に知らせることもできる。
【００３５】
貯留／精算ボタン１３２は、スロットマシン１００に電子的に貯留されたメダルを精算し、メダル払出口１５５よりメダル受皿１７０に排出するための精算機能と、メダル投入口１３４に投入された４枚以降のメダルや入賞により獲得したメダルを最大５０枚まで電子的に貯留する貯留機能と、を切換えるためのボタンである。
【００３６】
メダル返却ボタン１３３は、投入されたメダルが詰まった場合に押下してメダルを取り除くためのボタンである。なお、前記スタートレバー１３５、ストップボタン１３７乃至１３９、貯留／精算ボタン１３２は、遊技者の操作を受け付けるための手段を構成する。
【００３７】
ドアキー１４０は、スロットマシン１００の前面扉１０２のロックを解除するためのキーを挿入する孔である。メダル払出口１５５は、メダルを払出すための払出口である。メダル受皿１７０は、メダル払出口１５５から払出されたメダルを溜めるための器である。なお、メダル受皿１７０は、本実施例では発光可能な受皿を採用しており、以下受皿ランプ１７０と呼ぶこともある。
【００３８】
音孔１６０は、スロットマシン１００内部に設けられているスピーカの音を外部に出力するための孔である。上部ランプ１５０、サイドランプ１５１、中央ランプ１５２、腰部ランプ１５３、下部ランプ１５４、受皿ランプ１７０は、遊技を盛り上げるための装飾用のランプであり、遊技状態に応じて点灯／消灯／点滅する。また、メダル受皿１７０には、着脱可能に構成した灰皿ユニット１８０が設けられている。
【００３９】
リールパネル１６１は、絵柄表示窓１１３を有するパネルであり、タイトルパネル１６２は、そのスロットマシンの機種名や各種のデザインが描かれるパネルである。演出装置６００は、本実施例では扉付きの液晶表示装置である。
【００４０】
＜制御部＞
次に、図２を参照してスロットマシンの制御部の構成について説明する。
【００４１】
本実施例における制御部は、全体を制御する主制御部３００と、遊技を盛り上げるための演出に関する制御等を遂行する副制御部４００と、演出装置６００を制御する液晶・扉制御部（図示省略）で構成されている。
【００４２】
＜主制御部＞
マイクロプロセッサ（以下、ＭａｉｎＣＰＵと称す）３１０は、スロットマシン１００における制御の中枢となるものであり、バス３７０を介して、周辺部との間で制御信号やデータの受渡が行われる。
【００４３】
乱数発生器３１１は、内部抽選等に用いられる乱数を発生するもので、複数のカウンタ、クロック発振器、分周器及びラッチ回路等で構成される。乱数発生器３１１が発生した乱数値は、バス３７０を介して、ＲＡＭ３１３の乱数記憶領域に記憶され、必要に応じてＭａｉｎＣＰＵ３１０へ送られる。
【００４４】
ＭａｉｎＣＰＵ３１０には、入力インターフェース３６０およびバス３７０を介して、メダル投入口ブロックの投入口１３４から投入されたメダルを検知するメダルセンサ３２０、スタートレバー１３５の操作を検知するスタートレバーセンサ３２１、ストップボタン１３７〜１３９のいずれかが押された場合、どのストップボタンが押されたかを検知するストップボタンセンサ３２２、及び、メダル投入ボタン１３０，１３１のいずれかが押下された場合、どのメダル投入ボタンが押されたかを検知するメダル投入ボタンセンサ３２３、精算ボタン１３２の押下に伴って動作する精算ボタンスイッチ３２４が接続されている。光センサ７３１はガイドカバー６３の存在を検知しているが、詳細は後述する。
【００４５】
ＲＯＭ（リード・オンリー・メモリ）３１２は、各種制御を行うためのプログラムや、後述する各種テーブルデータ等を記憶する記憶手段の一つである。ＲＡＭ（ランダム・アクセス・メモリ）３１３は、ＭａｉｎＣＰＵ３１０によって処理されるプログラムのワークエリアを有し、可変データ等を記憶する記憶手段の一つである。
【００４６】
また、各リール１１０〜１１２の回転と停止を行うモーター（図示省略）を制御するモーター制御部３３０、及び、メダル払出装置５１０を制御するホッパー制御部３３１が、入出力インターフェース３３２及びバス３７０を介してＭａｉｎＣＰＵ３１０に接続されている。
【００４７】
演出用ランプ・表示器類３４０とは、図１で示した入賞ライン表示ランプ１２０、スタートランプ１２１、再遊技ランプ１２２等のランプ類や、払出枚数表示器１２５、遊技回数表示器１２６等の各種表示器をまとめて表したもので、出力インターフェース３４２およびバス３７０を介してＭａｉｎＣＰＵ３１０に接続されている。ブロッカソレノイド６９１は、メダルブロッカ６９２を移動させて投入されるメダルを強制的にメダル受皿１７０に返却することを可能とするものである。
【００４８】
出力インターフェース３５０は、ＭａｉｎＣＰＵ３１０の指示に基づき、各種のコマンドを副制御部４００の入力インターフェース４４０へ送信する。コマンドには、例えば、メダルが投入されたことを示すコマンド、スタートレバー１３５が操作されたことを示すコマンド、押されたストップボタン１３７〜１３９を示すコマンド、演出の内容（バックライト、上部ランプ１５０、音声出力、演出装置６００等による演出の内容）を規定したコマンド等がある。
【００４９】
＜副制御部＞
マイクロプロセッサ（以下、ＳｕｂＣＰＵと称す）４１０は、主制御部３００から送信された各種コマンドを入力インターフェース４４０およびバス４３０を介して受信し、受信したコマンドの内容に応じて副制御部４００全体を制御する。
【００５０】
ＲＯＭ４１１は、副制御部４００全体を制御するためのプログラムやデータ等を記憶する記憶手段の一つである。ＲＡＭ４１２は、ＳｕｂＣＰＵ４１０で処理されるプログラムのワークエリアを有し、可変データ等を記憶する記憶手段の一つである。
【００５１】
バックライト４２０は、リールの絵柄を照らすライトで、ＳｕｂＣＰＵ４１０の指示に従って点灯／点滅／消灯する。演出用ランプ４２１は、上部ランプ１５０、サイドランプ１５１、中央ランプ１５２、腰部ランプ１５３、下部ランプ１５４、受皿ランプ（メダル受皿１７０に設置）をまとめて表したもので、ＳｕｂＣＰＵ４１０の指示に従って点灯／点滅／消灯する。バックライト４２０および演出用ランプ４２１は、出力インターフェース４２２を介してバス４３０を経てＳｕｂＣＰＵ４１０と接続されている。
【００５２】
出力インターフェース４５０は、ＳｕｂＣＰＵ４１０の指示に基づき、各種制御データを液晶・扉制御部（図示省略）へ送信する。この制御データに基づいて、液晶・扉制御部は、演出装置６００を制御する。
【００５３】
楽音信号形成部４６０は、ＳｕｂＣＰＵ４１０から受け渡された制御信号やデータに基づいて、楽音信号を形成して出力する。この楽音信号は、アンプ４６１で増幅された後、スピーカ（具体的には上部スピーカ及び中央スピーカ）４６２から音として出力される。
【００５４】
＜遊技の基本的制御＞
図３は、本実施例のスロットマシン１００における遊技の基本的制御を示すフローチャートである。
遊技の基本的制御は、ＭａｉｎＣＰＵ３１０が中心になって行い、電源断等を検知しないかぎり、同図の処理を繰り返し実行する。
【００５５】
先ず、Ｓ１０１では、メダル投入処理として、メダルの投入数に応じた入賞ライン表示ランプ１２０の点灯等を行う。なお、メダル投入ボタン１３０，１３１によるクレジットによる投入も、メダル投入口ブロックの投入口１３４から、実際のメダルを投入する場合も同等に処理する。
【００５６】
Ｓ１０２では、遊技のスタート操作に関する処理を行う。スタートレバー１３５が操作された場合、投入されたメダル枚数を確定する。次いで、Ｓ１０３では、確定されたメダル枚数に基づいて、有効な入賞ライン１１４を確定する。
【００５７】
Ｓ１０４では、乱数発生器３１１で発生させた乱数値を取得する。
Ｓ１０５では、ＲＯＭ３１２に格納されている抽選データテーブルと、Ｓ１０４で取得した乱数値を用いて、入賞役の内部当選の当否を定める内部抽選を行う。なお、抽選データテーブルには、あらかじめ、ＢＢ、ＲＢ、小役等の抽選確率に応じたデータが格納されている。
【００５８】
Ｓ１０６では、例えば、演出装置６００においてどのような演出を行うか決めたり、ゲームを盛り上げるためキャラクター等を登場させる、演出抽選処理を行う。
【００５９】
Ｓ１０７では、Ｓ１０４で取得した乱数値を用いて、リール停止制御テーブルを選択し、各リール１１０〜１１２の回転を開始させる。
【００６０】
Ｓ１０８では、ストップボタン１３７〜１３９の受付が可能になり、いずれかのストップボタンが押されると、押されたストップボタンに対応するリールを、Ｓ１０５で選択したリール停止制御テーブルに基づいて停止させる。
【００６１】
Ｓ１０９では、入賞判定を行う。ここでは、有効化された入賞ライン１１４上に、入賞役に対応する絵柄組合せが表示された場合にその入賞役に入賞したと判定する。例えば、有効化された入賞ライン１１４上に、例えば「ベル−ベル−ベル」が揃っていたならば、ベル入賞と判定する。また、例えば「青７−青７−青７」が揃っていたならば、ＢＢ入賞と判定する。
【００６２】
Ｓ１１０では、払い出しのある何らかの入賞役に入賞していれば、その入賞役に対応する枚数のメダルを払い出す。
【００６３】
Ｓ１１１では、遊技状態を制御する。例えば、ＢＢ入賞時には、次の遊技からＢＢゲームが開始されるように準備をし、ＢＢ終了時には、次の遊技から通常の遊技が開始されるように準備させる。
【００６４】
＜本体内部構造＞
次に、本実施例のスロットマシン１００の内部構成について簡単に説明する。図４は、スロットマシン１００の内部構成の概略を示す前面扉１０２を開いた斜視図である。本体部としてのキャビネット２１０の内部には、基板収納ケース及びリールユニット２２０や、図示を省略した電源ボックス、メダル払出装置５１０、メダル補助収納部５３０、中央スピーカユニット、副制御基板、外部中継端子板等の諸装置が配設されている。
【００６５】
リールユニット２２０は、樹脂製のケース２２１内にステッピングモータで駆動されるリール１１０乃至１１２を個別に着脱可能に取り付けて構成している。そして、このリールユニット２２０は、前記ケース２２１により３本のリールをユニット化し、キャビネット２１０に設けたリールユニット載置台２１８に対する着脱を容易に行えるように構成している。
【００６６】
キャビネット２１０の内部には、隠れているが、透明な樹脂ケースからなる基板収納ケースが、キャビネット２１０を構成している後板の上部に取り付けられている。この基板収納ケースの内部空間には、スロットマシン１００の全体的な制御を行う主制御部３００を構成する電気部品を実装した主制御基板が収納されている。
【００６７】
また、図示を省略した電源ボックスは、キャビネット２１０の後板の壁面に装着され、金属製ケースの内部に、スロットマシン１００の諸装置へ必要な電力を供給するための電源基板が収納されている。
【００６８】
さらに、キャビネット２１０の内部には、メダルを払い出すためのメダル払出装置５１０（以下、ホッパー５１０ということがある）が配設してある。メダル払出装置５１０は、ＤＣモーターで駆動されメダルを１枚ずつ払い出すと共に、メダルを払い出す毎に検出信号を出力する払出装置本体５１１と、払出装置本体５１１にメダルを供給するとともにメダルを蓄積するメダルタンク５１２とで構成されている。そして、メダル払出装置５１０の横には、メダル補助収納部５３０が置かれており、前記メダル払出装置５１０がメダルでいっぱいになると、余分なメダルは流れ落ち、このメダル補助収納部５３０内に蓄積される。
【００６９】
そして、前記主制御基板及びリール１１０〜１１２の側方、即ち向って左側の側板には、サブ制御基板を収納した補助収納ケース５２０が配設してある。
【００７０】
一方、キャビネット２１０の側板にヒンジ装置２３０を介して蝶着された前面扉１０２には、演出装置６００や、絵柄表示窓１１３を有するリールパネル１６１や、投入されたメダルを選別するための後述するメダルセレクタ６等が、設けてある。メダルセレクタ６は、投入されたメダルをメダルタンク５１２および通路８０を通してメダル受皿１７０に移動させる。
【００７１】
＜メダルセレクタ＞
次に、投入されたメダルを選別するメダルセレクタ６について説明する。図５はメダルセレクタ６の斜視図、図６（ａ）はメダルセレクタの分解斜視図、図６（ｂ）は後述するガイドカバー６３の要部説明図、図７（ａ）はガイドカバー６３を完全に閉じた状態の平面図、図７（ｂ）はガイドカバー６３を大きく開いた状態の平面図、図７（ｃ）はガイドカバー６３を閉じきる直前の状態の平面図、である。
【００７２】
メダルセレクタ６は、メダル投入口ブロックのメダル投入口１３４に投入されたメダルを選別するものであって、サイズの小さい不正なメダルを選別してメダル受皿１７０に排出すると共に、正規のメダルを取り込んでホッパー５１０のメダルタンク５１２に送り出すユニット化された装置である。即ち、このメダルセレクタ６は、例えば図５に示すように、メダル通路を形成するセレクタ本体ユニット６１と、このセレクタ本体ユニット６１に着脱自在に設けられる側面ガイドユニット６２と、投入されたメダルＭをメダル受皿１７０に案内する開閉可能なガイドカバー６３と、から構成されている。なお、メダルセレクタ６は、従来と同様に、取付基板６４を介してスロットマシン１００の前面扉１０２の裏面側に、着脱可能に取り付けられる（図１４）。
【００７３】
セレクタ本体ユニット６１は、メダル選別口６１１を開設した平面形状がほゞコ字状のベース基板６１２を中心に構成してある。メダル選別口６１１は、底辺がメダルＭの移送方向に沿って下り傾斜する斜めに開設した横長な開口であって、このメダル選別口６１１の下縁付近には、投入されたメダルＭが転動しながらメダルタンク５１２の方向へ移動するメダル通路を形成する移送ガイド６５が、ネジ等の止着手段６５１によって取り付けてある。
【００７４】
上記メダル選別口６１１の上縁付近には、スペーサ部材６６１を設ける（図８、図９。このスペーサ部材６６１は、例えば合成樹脂製の板材であって、ほゞメダルＭと同じ厚さを有し、ベース基板６１２にネジ６６３等の止着手段で着脱可能に取り付けられている。また、スペーサ部材６６１は、投入されて転動するメダルＭの上縁が係止する係止爪６６２を有し、転動するメダルＭの上部一側をガイドする上部ガイド６６を構成する。
【００７５】
前記メダル選別口６１１には、投入されたメダルＭを、遊技者の操作に応じて、メダル受皿１７０に返却するためのメダル返却装置６７が臨ませてある（図９）。このメダル返却装置６７は、遊技者が操作した返却ボタン１３３に対応する受圧部６７１を有する返却プレート６７２が、軸６７３を支点に回動自在に装着され、この軸６７３に嵌装した戻りスプリング６７４により、前記返却プレート６７２の先端部６７５を、前記メダル選別口６１１から追い出す方向に付勢している。このため、通常では、返却プレート６７２の先端部６７５が前記メダル選別口６１１から外れているので、当該返却プレート６７２の影響を受けることなく、投入されたメダルＭが、取付基板６４に設けた断面ほゞＪ字状の搬送樋６４１（図１４）を介して、ホッパー５１０のメダルタンク５１２へ向けて移送される。
【００７６】
一方、遊技者が、メダル詰まりを解除するために、返却ボタン１３３を操作すると、当該ボタン１３３の押圧部（図示せず）が、返却プレート６７２の受圧部６７１を押圧し、返却プレート６７２が前記戻りスプリング６７４の付勢に抗して回動し、先端部６７５がメダル選別口６１１の中に突入する。すると、突入した先端部６７５により、メダル通路に詰まったメダルＭが落下してメダル受皿１７０に返却される。このとき、後述するガイドカバー６３が正しい位置にないと、メダルＭを正しく通路８０を介してメダル受皿１７０へ案内することができない。
【００７７】
前記メダル選別口６１１には、投入されたメダルＭを側面からガイドする側面ガイドユニット６２を臨ませる。この側面ガイドユニット６２は、前記したベース基板６１２に対して回動自在且つ着脱自在に設けられている。即ち、前記したメダル返却装置６７の軸６７３を、この側面ガイドユニット６２も支軸６２１として共有し、当該軸６２１に嵌装した装着スプリング６２２により、着脱自在且つ回動自在に装着してある（図８）。
【００７８】
このため、側面ガイドユニット６２は、装着時に、前記したベース基板６１２に対峙するガイド基板６２３を有し、このガイド基板６２３に軸受部６２４と、後述する押圧片６２５とが装着してある。上記軸受部６２４は、ガイド基板６２３の一部をほゞコ字状に屈曲成型し、屈曲先端部に軸受溝６２４ａを形成したものである。ガイド基板６２３の上流側の上縁が外向きに屈曲されて、ベース基板６１２と対峙したときの間隔を拡げて、メダル投入口１３４に投入されたメダルＭを、前記ベース基板６１２と間に案内して落とし込むようになっている。
【００７９】
また、前記装着スプリング６２２は、中央部分に係止端部６２２ａが形成してあり、前記軸受溝６２４ａに前記軸６７３を嵌着したときに、この係止端部６２２ａが前記ガイド基板６２３に開設した係止口６２６に係止することにより、側面ガイドユニット６２がセレクタ本体ユニット６１に装着される（図５）。
【００８０】
側面ガイドユニット６２は、可動型押出しガイド６２７を備える（図９）。即ち、この可動型押出しガイド６２７は、前記ガイド基板６２３に軸６２８により回動自在に設けられると共に、この軸６２８に巻装したトーションスプリング６２９によりメダルＭを押圧する方向に緩く付勢され、当該可動型押出しガイド６２７の押圧片６２５の先端が、前記メダル選別口６１１に臨んでいる。
【００８１】
前記メダル選別口６１１の下縁付近には、投入されたメダルＭが転動するメダル転動面６５２を有する移送ガイド６５が、メダルＭの下部一側をガイドするベース基板６１２に対して止着されている。
【００８２】
この移送ガイド６５は、例えば図９に示すように、前記したスペーサ部材６６１とほゞ同じ厚さを有する板材であって、ネジ等の止着手段６５１によって、前記メダル選別口６１１の下縁から若干下がった位置に取り付けてある。また、この移送ガイド６５は、メダルＭが転動して流下するように下り傾斜が設けてある。そして、メダルセレクタ６を、従来と同様に、図１４に示す取付基板６４に装着した場合に、前記移送ガイド６５の流下端が、前記した取付基板６４の搬送樋６４１の入口に連絡し、投入されたメダルＭをホッパー５１０のメダルタンク５１２へ移送するメダル通路を形成する。
【００８３】
次に、前記したような構成のメダルセレクタ６の動作を簡単に説明する。メダルセレクタ６を備えるスロットマシン１００において、遊技を行うために、遊技者がメダルＭをメダル投入ブロックのメダル投入口１３４へ投入する。
【００８４】
メダル投入口１３４から投入したされたメダルＭは、メダル通路を例えば図８に二点鎖線で示すＡ〜Ｆの経路で流下する。このとき、メダルＭの下縁を傾斜状に形成したメダル転動面６５２が支えると共に、側面ガイドユニット６２の可動型の押出しガイド６２７が側方より緩く押圧する。このため、メダルＭが正規のものであって規定の外径を有していれば、上縁が上部ガイド６６である係止爪６６２に係止する。従って、当該メダルＭは、メダル通路を形成する移送ガイド６５の下り傾斜にしたがって、メダルタンク５１２へ連なる送り出し口へ向けて転動しながら流下する。
【００８５】
従って、ゲームに必要な規定枚数のメダルＭを投入したにも拘らず、遊技者が望んだ入賞ラインにならなかったり、メダルＭを再投入するために遊技のリズムを崩されることがない。
【００８６】
一方、遊技者が投入したメダルＭが、規定の外径よりも小さい不正なメダルの場合には、メダルＭの上縁が、上部ガイド６６である係止爪６６２に係止しなかったり、係止しても係止幅が僅かなので、側面ガイドである押出しガイド６２７により側方を緩く押圧されると、容易にメダルＭが転倒して、メダル選別口６１１から落下し、メダル受皿１７０に返却される（図８、図９）。
【００８７】
前記のようにして、メダル通路を転動して送り出し口に達した正規のメダルＭは、メダル通路の終端付近に臨ませたメダル投入センサＳによって検出される。さらに、メダル選別口６１１には、メダルブロッカ６９２と、このメダルブロッカ６９２をメダル選別口６１１内に突入または退避させるためのブロッカソレノイド６９１が設けられている。このブロッカソレノイド６９１が励磁されている場合は、メダルブロッカ６９２はメダル選別口６１１内から退避した退避位置にある。このブロッカソレノイド６９１が励磁されていない場合は、メダルブロッカ６９２はメダル選別口６１１内に突入した突入位置にある（図９）。これにより、投入されたメダルＭが規定枚数に達したときには、ブロッカソレノイド６９１の励磁を停止させて、メダルブロッカ６９２をメダル選別口６１１内に突入させて、以後、投入されるメダルＭを、強制的にメダル受皿１７０に返却するようになっている（図９参照）。また、ブロッカソレノイド６９１は、所定の絵柄が揃って、メダルＭの再投入なしに再遊技が可能なときにも消磁されて、誤って投入されるメダルＭを返却する（図９）。さらに、ブロッカソレノイド６９１は、スタートレバー１３５が操作されて（Ｓ１０２）から遊技が終了するまで（Ｓ１１１）の間は、誤って投入されるメダルＭを返却する。つまり、ブロッカソレノイド６９１は、メダルの投入を受け付けている期間を除く期間において、メダルブロッカ６９２をメダル選別口６１１内に突入させて、投入されるメダルＭを強制的にメダル受皿１７０に返却するようになっている。そして、前記メダル投入センサＳを通過した正規のメダルＭは、図１４に示す取付基板６４の搬送樋６４１を介してホッパー５１０のメダルタンク５１２へ貯留されることになる。なお、メダル投入センサＳの接続コードＳ１の先端に設けたコネクタ端子Ｓ２が、制御基板に接続されることになる。また、このメダル投入センサＳは、２つの検出器からなるものであって、メダルＭを両検出器に作用させることによって、不正遊技を防止するようになっている。
【００８８】
ところで、前記したように、メダルＭをメダル受皿１７０へ返却する際に、ガイドカバー６３が正しく位置していないと、メダルをメダル受皿１７０へ誘導することができずに、メダルがキャビネット２１０の内部に溢れてしまう。通路８０は、上部に略矩形に開口した開口部（図示せず）が設けられており、ガイドカバー６３が通路８０の開口部に案内できなかったメダルがキャビネット２１０の内部に落下するのである。
【００８９】
そこで、図示のメダルセレクタ６には、ガイドカバー６３が確実に閉じるように、言い換えると、ガイドカバー６３が開いたままになることを防止するように、開状態放置防止手段が設けてある。
【００９０】
この開状態放置防止手段は、図５及び図６に示すメダルセレクタ６によれば、セレクタ本体ユニット６１に設けられて、ガイドカバー６３を回動自在に保持する保持部７１と、この保持部７１に設けたガイドカバー６３を閉じることによって、メダルＭをメダル受皿１７０に案内可能な案内位置に移動させる付勢部７２と、で構成されている。
【００９１】
即ち、図５及び図６において、セレクタ本体ユニット６１を構成する平面形状がほゞコ字状のベース基板６１２の一方の端部、図示の場合は、向って右側の端部に軸受筒部７１１を設けると共に、ガイドカバー６３の一端にも軸受筒部７１２を設け、これらの軸受筒部７１１、７１２に、回転軸棒７１３を一連に挿通することにより、ガイドカバー６３を回転自在に保持する保持部７１を形成している。
【００９２】
また、軸受筒部７１１、７１２及び回転軸棒７１３には、コイルバネ７２１を巻装することにより、ガイドカバー６３を閉じる方向に付勢している。即ち、コイルバネ７２１によりガイドカバー６３を案内位置に移動させる付勢部７２を形成している。
【００９３】
一方、ベース基板６１２の他方の端部である向って左側の端部には、ガイドカバー６３が閉じられて案内位置にあることを検知する検知手段７３を設ける。この検知手段７３は、例えば光学的に作動する光センサ７３１であって、検知空間にガイドカバー６３の一部が嵌入して光軸を遮断することによって、ガイドカバー６３が案内位置にあることを検知するように構成してある。
【００９４】
この光センサ７３１には、コネクタ端子７３２ａを備える接続コード７３２が設けてあり、このコネクタ端子７３２ａが、主制御基板（主制御部３００）へ接続される。なお、接続は、中継基板を介して行なうようにしてもよいし、副制御基板（副制御部４００）に接続されるようにしてもよい。
【００９５】
また、このガイドカバー６３の前記した検知手段７３により検知される側、即ち自由端側には、係止固定手段７４が設けてある。この係止固定手段７４は、ガイドカバー６３が閉じた状態、言い換えると、ガイドカバー６３が案内位置にあることを確実に維持するためのものであって、ガイドカバー６３が不用意に開くことを防止するものである。
【００９６】
係止固定手段７４は、例えば、一対の切欠溝７４１を開設することによって、両切欠溝７４１に挟まれた部分に、弾性片を形成し、この弾性片の先端に係止爪７４２ａを形成することにより弾性係止片７４２としている。一方、この弾性係止片７４２に対応して、前記係止爪７４２ａが嵌入して係止する係止孔７４３を、前記検知手段７３である光センサ７３１を設けたベース基板６１２の端部に開設する。
【００９７】
そこで、図６（ｂ）の右半に示すように、付勢部７２を形成するコイルバネ７２１の付勢によって検知手段７３の近傍に位置している、ガイドカバー６３を手動によって回動させ、係止爪７４２ａが係止孔７４３に係止するように押し込むと、図６（ｂ）の左半に示すように、ガイドカバー６３が案内位置に固定される。この状態では、検知手段７３である光センサ７３１が、ガイドカバー６３の存在を検知している。即ち、検知手段７３は、ガイドカバー６３が案内位置にあると判断している。
【００９８】
一方、何らかの原因で、係止片７４２の係止爪７４２ａが係止孔７４３から外れて、図６（ｂ）に示すように、光センサ７３１の検知空間からガイドカバー６３が逸脱すると、即ち光センサ７３１の光軸を遮断するものがなくなると、検知手段７３は、ガイドカバー６３が案内位置にないものと判断することになる。そして、ガイドカバー６３が案内位置にない場合には所定の報知を行なうようになっている。
【００９９】
具体的には、前記した検知手段７３を構成する光センサ７３１は、図２に示すように、入力インターフェース３６０およびバス３７０を介してＭａｉｎＣＰＵ３１０に接続されている。そして、主制御部３００では、図１０に示す割り込み処理を実行してガイドカバー６３を監視し、ガイドカバー６３が案内位置にないことを、例えば演出装置６００を利用して報知させる。
【０１００】
即ち、Ｓ２０１において入力ポートデータを取得して、光センサ７３１の検出出力情報を取得する。Ｓ２０２では光センサ７３１の検出結果に基づいて、ガイドカバー６３が開いているか否かを判断する。ガイドカバー６３が開いている場合には、Ｓ２０３において、エラー処理を実行する。
【０１０１】
このエラー処理は、ガイドカバー６３が開状態にあることを表示するためのコマンドを副制御部４００に送信する（Ｓ２０５）。このコマンドを受信した副制御部４００では、このコマンドに対応する演出表示を、演出装置６００において実行する。但し、このガイドカバー６３が開いているというエラーは、遊技の進行に深刻な影響を及ぼすものではないので、主制御部３００は、遊技を停止させることなく、遊技を進行させる。副制御部４００は、通常遊技の演出を実行しつつ、ガイドカバー６３が開いていることを報知する演出を実行する。ガイドカバー６３が開いていることを報知する演出は、図１１に示すようにＬＣＤ等の表示装置で表示することとしたが、光、音等の他の装置によって報知される演出でもよい。ガイドカバー６３が開いていることが検知された場合には常にこの報知を実行することとしたが、これに限るものでなくてもよく、一遊技を実行中の何れかのタイミングで報知を実行するものや、ガイドカバー６３が開いているままで複数遊技（例：１０遊技）が実行された場合に報知を実行するものや、複数種類の報知態様を備えるようにし、複数遊技（例：１０遊技）の報知が実行された場合に報知態様を他の報知態様に切り換えて実行するようにしてもよい。実行している報知は、ガイドカバー６３が案内位置にあると判定された場合には終了させることとする。また、主制御部３００は遊技の進行を停止させる他のエラー（例：ホッパーエンプティエラー）と同様の処理を行うようにしてもよい。この場合、副制御部４００は、エラー演出のみを実行するようにし、その後に係員らによりエラーリセットボタン（図示しない）が操作されたことを検知した場合に、主制御部３００および副制御部４００は、処理を復帰させることとする。
【０１０２】
一方、ガイドカバー６３が閉じていたとき、或いはエラー処理を実行したときには、Ｓ２０４でカウンタタイマを更新し、Ｓ２０５でコマンドを送信し、Ｓ２０６では他の処理を実行するようになっている。なお、エラー処理が実行された場合には、ガイドカバー６３を閉じると共に、リセットスイッチを操作しない限り、遊技を再開しないようにすることもできる。
【０１０３】
前記した実施例では、付勢部７２にコイルバネ７２１を利用しているが、付勢部７２にはモータ等の駆動手段を利用することもできる。モータを用いれば、前面扉１０２を閉止するときに、この前面扉１０２の閉止に連動して、ガイドカバー６３を案内位置に移動させるように構成することも可能である。なお、モータの駆動による移動は、図７（ａ）に示すように、ガイドカバー６３を完全に閉じるようにしてもよいし、図７（ｃ）に示すように、ガイドカバー６３の係止片７４２が係止孔７４３に係止する直前までとし、後は手動で係止させてもよいし、前面扉１０２を閉止するときに、前面扉１０２に押されて係止するようにしてもよい。いずれにしても、前面扉１０２を閉止したときには、図７（ａ）に示すように、係止片７４２が係止孔７４３に係止し、光センサ７３１がガイドカバー６３が案内位置にあることを検出する。
【０１０４】
また、前記した実施例では、ガイドカバー６３を横開きに構成しているが、ガイドカバー６３の開く方向は、横開きに限定するものではない。即ち、上下方向に開いても、或いは前後方向に開くようにしてもよい。例えば、ガイドカバー６３を横開きにした場合に、全開位置としたガイドカバー６３が、閉じようとしていた前面扉１０２とキャビネット２１０との間に挟まることで前面扉１０２を閉止することができないようにしてもよい。この場合、図５に示す保持部７１を光センサ７３１側（自由端側）に取り付けることとし、さらにガイドカバー６３はほゞ１８０度まで開く移動を可能とし、ガイドカバー６３が全開位置にある場合（または、この位置に近い位置にある場合）には、ガイドカバー６３の一部が前面扉１０２の縁より外側に位置する形状に構成する。
【０１０５】
図１２は、他の実施例を示し、（ａ）はスロットマシン１００の要部の側面図、（ｂ）はホッパー５１０の斜視図である。この実施例においては、メダルセレクタ６のガイドカバー６３を開いた状態のままで、前面扉１０２を閉じようとしても、ガイドカバー６３がホッパー５１０（メダルタンク５１２）に当接して前面扉１０２を閉じることができないように構成してある。即ち、この実施例においては、ホッパー５１０のメダルタンク５１２の側壁部分にストッパ５１３が突設してある。従って、ガイドカバー６３が開いた状態にあると、言い換えると、ガイドカバー６３がメダルの案内位置にないと、このガイドカバー６３とホッパー５１０のストッパ５１３とが干渉するため、前面扉１０２を閉止することができない。
【０１０６】
一方、ホッパー５１０に設けるストッパ５１３をカム形状に形成することにより、前面扉１０２を閉じるときに、このカム形状のストッパ５１３が開いた状態にあるガイドカバー６３に当接して、当該ガイドカバー６３を閉じる方向へ誘導してさらに案内位置に納めるよう構成することも可能である。即ち、前記メダルタンク５１２に設けたストッパ５１３が本体に形成した所定部となり、前面扉１０２を閉じる際に、ガイドカバー６３を案内位置に移動させることができる。なお、この所定部は、本体の適宜箇所に所望の形状で形成することができる。
【０１０７】
図１３は、他の実施例を示す要部の平面図である。即ち、図１３（ａ）はガイドカバー６３が閉じた状態を、（ｂ）はガイドカバー６３が開いた状態を示している。この実施例においては、ガイドカバー６３を回動自在に保持する保持部７１の外側に。当該ガイドカバー６３の移動範囲を規制する移動範囲制限部７５を設けたものである。具体的には、ほゞコ字状に形成した移動範囲制限部７５の一端７５１をベース基板６１２の側面部に固定し、他端７５２を案内位置にある、即ち閉じた状態にあるガイドカバー６３の外側に若干突出するように構成している。
【０１０８】
このため、保持部７１を支点にして、ガイドカバー６３をほゞ９０度まで開くことができるが、それ以上、即ち９０度以上回動させようとしても、ガイドカバー６３の外面が、移動範囲制限部７５の他端７５２における内側端面に当接するため、ガイドカバー６３の回動が制限される。なお、この実施例においても、付勢部７２によって、ガイドカバー６３は、閉じる方向に付勢されている。
【０１０９】
以上、本発明を図示の実施例について説明したが、本発明は前記した各実施例に限定されるものではなく、特許請求の範囲に記載した構成を変更しない限り適宜に実施できる。例えば、前記した実施例では、メダルセレクタを備える遊技台としてスロットマシンについて説明したが、メダルを遊技媒体として使用する遊技台に容易に適用することができる。
【図面の簡単な説明】
【０１１０】
【図１】メダルセレクタを備える遊技台の一例であるスロットマシンの斜視図である。
【図２】制御部の概略構成図である。
【図３】主制御部によるメイン処理を示すフローチャートである。
【図４】スロットマシンの前面扉を開いた状態の斜視図である。
【図５】メダルセレクタの斜視図である。
【図６】（ａ）はメダルセレクタの分解斜視図、（ｂ）は検知手段及び係止固定手段を示すメダルセレクタの要部の平面図である。
【図７】メダルセレクタにおける検知手段及び係止固定手段を示す要部の平面図である。
【図８】メダルの通過状態を説明する要部の正面図である。
【図９】メダルの排出状態を説明する要部の断面図である。
【図１０】メダルセレクタにおけるエラー処理のフローチャートである。
【図１１】エラー表示の一例を示す演出装置の画像である。
【図１２】（ａ）は他の実施例によるスロットマシンの概略側面図、（ｂ）はメダル払出装置の斜視図である。
【図１３】メダルセレクタにおける検知手段及び係止固定手段並びに移動範囲制限部を示す要部の平面図であり、（ａ）はガイドカバーが閉じた状態、（ｂ）はガイドカバーが開いた状態を示す。
【図１４】従来のメダルセレクタの斜視図であり、（ａ）は取付基板の取り付けた状態、（ｂ）は取付基板から外した状態、（ｃ）はさらに側面ガイドユニットを外した状態を示す。
【符号の説明】
【０１１１】
６  メダルセレクタ
６１  セレクタ本体ユニット
６２  側面ガイドユニット
６３  ガイドカバー
６４  取付基板
６５  移送ガイド
６６  上部ガイド
６７  メダル返却装置
７１  保持部
７２  付勢部
７３  検知手段
７４  係止固定手段
７５  移動範囲制限部
８０  通路
１００  スロットマシン
１０２  前面扉
２１０  キャビネット
６００  演出装置
６１１  メダル選別口
６１２  ベース基板
６２１  支軸
６２２  装着スプリング
６２２ａ  係止端部
６２３  ガイド基板
６２４  軸受部
６２４ａ  軸受溝
６２５  押圧片
６２６  係止口
６２７  ガイド
６２８  軸
６２９  トーションスプリング
６４１  搬送樋
６５１  止着手段
６５２  メダル転動面
６６１  スペーサ部材
６６２  係止爪
６６３  ネジ
６７１  受圧部
６７２  返却プレート
６７３  軸
６７４  スプリング
６７５  先端部
６９１  ブロッカソレノイド
６９２  メダルブロッカ
７１１  軸受筒部
７１２  軸受筒部
７１３  回転軸棒
７２１  コイルバネ
７３１  光センサ
７３２  接続コード
７３２ａ  コネクタ端子
７４１  切欠溝
７４２  弾性係止片
７４２ａ  係止爪
７４３  係止孔
７５１  一端
７５２  他端
【図１】
2008246031.tif 000003
【図２】
2008246031.tif 000004
【図３】
2008246031.tif 000005
【図４】
2008246031.tif 000006
【図５】
2008246031.tif 000007
【図６】
2008246031.tif 000008
【図７】
2008246031.tif 000009
【図８】
2008246031.tif 000010
【図９】
2008246031.tif 000011
【図１０】
2008246031.tif 000012
【図１１】
2008246031.tif 000013
【図１２】
2008246031.tif 000014
【図１３】
2008246031.tif 000015
【図１４】
2008246031.tif 000016